(57)【要約】【課題】ペットの身体を傷つけずに洗浄できるように構成したペットの洗浄装置を提供する。【解決手段】外部から供給される水を洗浄槽１内に導く給水口と、前記洗浄槽１内部の水を外部へ排出する排水口３００と、前記洗浄槽１内部に温風を供給するドライヤー１３０とで構成されたペットの洗浄装置において、前記ペットの鼻の部分を外部に突き出して呼吸を可能にする呼吸口２１と、本体の上部に設けられ、洗浄槽１内部の汚れた空気を外部に排出する換気扇１５０と、前記本体の正面の一側に洗浄過程を表示して知らせるモニタ２０１およびスピーカ２０２と、本体下部に設けられ、防振機能を備えた車輪３０１とを含んで構成される。【選択図】図２
0003106230.tif 000002
【実用新案登録請求の範囲】
【請求項１】
前方にドア（２０）を有する洗浄槽（１）に熱風器（１３０）、送風器１４０および洗剤供給装置（６０）を備えるペットの洗浄装置において、
前記洗浄槽（１）の一側に設けられ、瞬間温水器（８０）および加圧モータ（９０）を有する給水部と；
前記給水部と連結され、洗浄槽の上部および下部に設けられる噴射ノズル（３０，３１）と；
前記洗浄槽（１）の外側に設けられるモニタ（２０１）およびスピーカー（２０２）と；を含んで構成されることを特徴とするペットの洗浄装置。
【請求項２】
前記ドア（２０）の中央部に形成された呼吸口（２１）と；前記呼吸口（２１）の前方に通風口（２２ａ）が形成されたカバー（２２）と；をさらに含むことを特徴とする請求項１記載のペットの洗浄装置。
【請求項３】
前記洗浄槽（１）の内部に温度感知器（１８）が構成されることを特徴とする請求項１記載のペットの洗浄装置。
【請求項４】
前記洗浄槽（１）の上部に遠赤外線発生器（１７）が設けられることを特徴とする請求項１または２記載のペットの洗浄装置。
【請求項５】
前記洗浄槽（１）の上部にはオゾン発生器（１３）が設けられることを特徴とする請求項３記載のペットの洗浄装置。
【請求項６】
前記洗浄槽（１）の内壁にはプラスチック材の模型岩壁（４００）が取り付けられることを特徴とする請求項１記載のペットの洗浄装置。
【考案の詳細な説明】
【技術分野】
【０００１】
本考案は、ペットの洗浄装置に係り、より詳しくは、ペットの洗浄機能を果たしながら、同時に、乾燥機能をも十分果たせるように構成したペットの洗浄装置に関する。
【背景技術】
【０００２】
周知のように、ペット市場が急増しつつある現在においても、ペットを洗浄したり乾燥させる製品はそれほど多くないのが実状である。したがって、週に一回程度はペットを洗浄しなければならないということを考えると、かかる製品の開発の必要性は充分ある。
【０００３】
しかしながら、ペット市場が急増しつつある現在においても、ペットを洗浄したり乾燥させる製品はそれほど多くないのが実状である。したがって、週に一回程度はペットを洗浄しなければならないということを考えると、かかる製品の開発の必要性は充分ある。
【０００４】
このように、ペットを洗浄したり乾燥させる製品がないため、現在は、家に設けられている浴槽にペットを入れてシャワー機でペットを洗浄し、その後は、ヘアドライヤーで毛を乾かすだけである。
【０００５】
上述したように、家に設けられている浴槽でペットを洗浄すると、ペットが動く瞬間に払い落とされるせっけん水や身体に付いた上がり湯があちこちに飛び散って汚なくなるばかりか、洗浄させる飼い主の顔や身体にもせっけん水や上がり湯が飛び散って、濡れてしまうという問題があった。
【０００６】
更に、従来は、ペットのお風呂の後、飼い主がヘアドライヤーで毛を乾かしていたが、このように毛を乾かす過程において、毛が抜けて飛び散ったり、床に落ちるなど非衛生的であるという短所もあった。
【０００７】
尚、特にペットの病院や美容室などでは多くのペットを取扱うため、ペット（特に飼い犬）の洗浄および乾燥には多くの時間と手間がかかるという不便もあった。
【０００８】
ゆえに、国内外のペットの愛好家たちによる、ペットの洗浄装置に関する研究が盛んになされている現状であるが、実用的な製品はまだ開発されていない。
【考案の開示】
【考案が解決しようとする課題】
【０００９】
したがって、かかる従来の問題点を解決するために、本考案の目的は，ペットをより効率よく洗浄できるように構成したペットの洗浄装置を提供することにある。
【００１０】
本考案の他の目的は、洗浄槽の前方部に呼吸口を形成して、洗浄および乾燥中にペットの呼吸を妨げないようにしたペットの洗浄装置を提供することにある。
【００１１】
本考案のまた他の目的は、洗浄槽の内部に遠赤外線発生器およびオゾン発生器を備えて、ペットに新鮮な空気を吸わせ、同時に、洗浄槽内部の動物特有の悪臭を除去すると共に洗浄槽内部を殺菌することができるペットの洗浄装置を提供することにある。
【課題を解決するための手段】
【００１２】
上記目的を達成するために、本考案は、外部から供給される水を洗浄槽内に導く給水口と、前記洗浄槽内部の水を外部へ排出する排水口と、前記洗浄槽内部に温風を供給するドライヤーとで構成されたペットの洗浄装置において、前記ペットの鼻の部分を外部に突き出して呼吸を可能にする呼吸口と、本体の上部に設けられ、洗浄槽内部の汚れた空気を外部に排出する換気扇と、前記本体の正面の一側に洗浄過程を表示して知らせるモニタおよびスピーカと、本体下部に設けられ、防振機能を備えた車輪とを含んで構成されることを特徴とする。
【００１３】
ここで、より好ましくは、前記洗浄槽本体の正面には、ペットの洗浄過程を観察することができ、出入り口の役目をする、取っ手の取り付けられている透明ドアが設けられることを特徴とする。
【考案の効果】
【００１４】
本考案の実施例に係るペットの洗浄装置は、以下のような種々の效果を奏する。
【００１５】
第１に、本考案は、洗浄槽の前方部に透明ドアを設けることで、飼い犬を洗浄するときに、外部を見られるようにして犬を安心させて不安感を感じないようにし、なお、透明ドアの中央部に、犬の呼吸のための呼吸口と、首が外部に出ないようにして首部の毛が充分に洗浄されるように構成されたカバーとを設けることにより、犬の全身を充分に洗浄することができるという長所がある。
【００１６】
第２に、本考案は、前記洗浄槽に温水を供給するとき、上部と下部の噴射ノズルを交互に作動させて水の浪費を防止することができるという利点がある。
【００１７】
第３に、本考案は、本体内部にオゾン発生器および遠赤外線発生器を設けて洗浄槽内部を殺菌すると共に、雨の日（または梅雨のとき）や蒸し暑い夏場に生臭い匂いといった悪臭を予防できるという效果を奏する。
【００１８】
第４に、本考案は、洗浄槽内部に設けられた照明灯は、夜間に用いられるとき、照明施設のない所でも效率的に洗浄できるようにし、犬を常に安心させ得るという相乗的な效果を奏する。
【考案を実施するための最良の形態】
【００１９】
以下、本考案に係る好適な実施例を添付図を参照しつつ詳細に説明する。なお、後述する本考案の実施例に係るペットの洗浄装置は、飼い犬に限って適用される洗浄装置を示す。しかし、人によって家で飼育される、本考案の装置を用いて洗浄可能な、すべてのペットに均等に適用し得ることは自明なことである。 図面上において同一符号は同一要素を指す。
【００２０】
先ず、本考案のペットの洗浄および乾燥装置の概念は、洗浄槽内部に水を噴射するノズルを上部および下部にそれぞれ設けてペットの側部と下腹部および背部を同時に洗浄することもできるが、ソレノイドバルブを用いて上部ノズルおよび下部ノズルを交互に作動させることで、洗浄に対するペットの不安感（拒否感）を最小化し、水の浪費を防止できるように構成した洗浄装置を提案することである。
【００２１】
また、本考案においては、前記洗浄槽本体の内部に熱風供給口および送風口をそれぞれ備え、一定の温度で迅速に乾燥させることができる、より実用的な洗浄装置を実現した。
【００２２】
また、本考案においては、本体の正面にモニタおよびスピーカを備え、ペットの洗浄および乾燥過程を表示して知らせることにより、より効率的な洗浄装置を具現した。
【００２３】
本考案の実施例により、先に提案したペットの洗浄装置の全体構成は、添付図に示すようなものである。図面を参照すれば、本考案で具現しようとする装置は、洗浄槽の役目をする本体１０を備え、前記本体１０の正面には透明なプラスチック材からなるドア２０が構成される。洗浄槽の一側および後方に本考案の洗浄装置の作動のための装備を備える機械室が設けられ、前記機械室にはそれぞれのドア１１，１２が結合されて構成される。このようは構成は、後述する各図の詳細な説明によって容易に理解されるであろう。
【００２４】
前記本体１０の正面には透明のドア２０がヒンジ２０ａによって組み付けられ、内部には洗浄槽１が形成される。そして、ドア２０の中央部には呼吸口２１が形成され、前記呼吸口２１の前方に通風口２２ａ付きのカバー２２が設けられ、前記カバー２２はヒンジ２２ｂによって取り付けられる。このとき、前記ドア２０の設けられた部分には、本体１０内部から噴射される水が外部に溢れ出ないように防水処理される、すなわち、前記ドア２０の枠に沿ってパッキングを取り付けるのが好ましい。
【００２５】
また、前記本体１０の正面には、好ましくは、透明ドア２０の中心から上下方へ一定長さの呼吸口２１が形成され、前記呼吸口２１は、洗浄および乾燥中に、犬の頭が外部に完全に抜けることを防止し、鼻の部分だけを露出させて呼吸ができるようにする役目をする。
【００２６】
前述したような洗浄槽本体１０の内部、すなわち洗浄槽１には、図２に示すように、本考案の主な構成要素中の一つである熱風供給口１５および送風口１６が形成される。前記熱風供給口１５および送風口１６は本体内の後壁１０ａに形成されるが、熱風供給口１５は下部に、送風口１６は上部にそれぞれ位置し、電気制御によって動作される。
【００２７】
そして、前記洗浄槽内部の左右側壁１０ｂ、１０ｃには、上／下部に洗浄のための水噴射装置が装着される。すなわち、前記水噴射装置は上部の噴射ノズル３０と下部の噴射ノズル３１とに分けられ、それぞれのソレノイドバルブ４０，４１によって上／下部の噴射が交互に行えるように構成される。上部の噴射ノズル３０の付近には、洗浄用洗剤噴射器３３が機械室の洗剤供給装置６０から配管によって連結されて設置され、ソレノイドバルブ６１によって作動される。また、側壁１０ｂの後方には外部のホースと連結される給水管７０が設置されており、ここには所定の瞬間温水器８０を設けて供給される水を加熱させる。なお、前記瞬間温水器８０にて加熱された水は加圧モータ９０に供給され、該加圧モータ９０にて加圧された水は上／下部の噴射ノズルに送られる。これで洗浄が可能になる。
【００２８】
また、前記後壁１０ａには、上部の一定の位置に、夜間に使用するための照明ランプ１４、並びに、匂いの除去および殺菌のためのオゾン発生器１３および遠赤外線発生器１７が設けられる。また、槽内の一定の温度を維持するための温度感知器１８が取り付けられて温度を感知する。
【００２９】
そして、前記機械室には、通常のコントロールボックス１００と、洗浄槽の内部に熱風を供給する熱風器１３０と、外部空気を供給する送風器１４０とが備えられた乾燥部と；外部から流入する水を加熱する瞬間温水器８０と、瞬間温水器８０を経た温水を本体１０内部へ供給する加圧モータ９０とが設置され、前記加圧モータ９０を通過した水を、配管９１，９２およびソレノイドバルブ４０，４１を通して本体１０内部へ供給する洗浄水供給部と；が設置される。
【００３０】
前記乾燥部は、配管によって上下部の熱風供給口１５および送風口１６と連結されており、適切な温度に加熱された空気および外部空気を本体内部へ送風させる。
【００３１】
一方、前述したような構成を有する本体１０の上部には、換気扇１５０が結合されている。前記換気扇１５０は、洗浄および乾燥時に本体内部の湿気および汚れた空気を外部に排出してペットの呼吸を助けるための手段である。
【００３２】
また、前記本体１０の正面にはスイッチパネル２００、モニタ２０１およびスピーカ２０２が取り付けられる。前記スイッチパネル２００には動作のための各タッチボタンが備えられる。前記モニタ２０１には、ペットの洗浄および乾燥の進行状況を目で確認できるように、時間および槽内の温度が数字で表示され、進行過程が文字（非外来語または外来語など）等で表示される。また、前記スピーカ２０２によって、洗浄および乾燥の進行状況が音声で表現される。
【００３３】
一方、前述したスイッチパネル２００に連結されたコントロールボックス１００には、自動制御用バルブ、音声録音装置、モニタ送信器、タイマ−、マグネチックスイッチなどを設けても良く、かかる構成は既に公知となっている技術であるので、詳細な説明は省略する。
【００３４】
また、本考案装置の洗浄および乾燥動作のすべては、自動または手動で制御できることは勿論である。
【００３５】
最後に、説明しなかった符号である、「３００」は配水管を、「３０１」は通常のキャスターを、「３０２」「３０３」は通風口を、「３０４」は足場を、「４０１」はネジ（螺子）をそれぞれ示す。なお、「４００」は、該ネジ４０１によって洗浄槽１０の後壁１０ａに取り付けられる、プラスチック材の模型岩壁を示す（図４）。
【００３６】
次に、上記のように構成された本考案のペットの洗浄装置の使用方法を詳しく説明する。
【００３７】
先ず、洗浄しようとする飼い犬を洗浄槽に入れた後、洗浄時間および乾燥時間を決定し、図１に示すスイッチパネル２００の開始スイッチおよび給水スイッチを用いて外部の水を供給すると、外部からの水は給水管７０を通って瞬間温水器８０に流入し、前記瞬間温水器で加熱された水は温水配管８１に沿って加圧モータ９０に送られ、前記加圧モータで加圧された温水は配管に伝って上部および下部の噴射ノズル３０、３１に供給される。ここで供給される水は、ソレノイドバルブ４０，４１と、コントロールボックス１００に設けられた制御装置とによって、上部および下部の噴射ノズルから交互に連続的に供給される。この際、上部からの水の噴射中、一定時間経過後に洗剤噴射器３３から洗剤が噴射される。
【００３８】
上記洗浄過程の後に乾燥過程が行われる。先ず、熱風器１３０にて加熱された空気が熱風供給口１５を通じて本体内部に供給され、温度感知器１８によって本体内部の温度が設定温度になっているのが感知されると、送風器１４０が作動して上部の送風口１６へ常温の外部空気が供給される。このようにして、ペットを乾燥させることとなる。
【００３９】
この際、洗浄および乾燥過程の動作のすべては、本体正面に設けられたモニタ２０１に表示され、スピーカ２０２によって音声で表現される。
【図面の簡単な説明】
【００４０】
【図１】本考案の全体斜視図である。
【図２】本考案の内部構成を示す断面図である。
【図３】本考案の内部構成を示す断面図である。
【図４】本考案で模型岩壁が取り付けられた状態を示す断面図である。
【符号の説明】
【００４１】
１０    本体
１３    オゾン発生器
１５    熱風供給口
１７    遠赤外線発生器
２０    前方ドア
２１    呼吸口
２２    カバー
３０，３１    噴射ノズル
２０１    モニタ
２０２    スピーカー
【図１】
0003106230.tif 000003
【図２】
0003106230.tif 000004
【図３】
0003106230.tif 000005
【図４】
0003106230.tif 000006